(57)【要約】【課題】広告・宣伝効果を向上させ、配布元が必要とする情報をアンケート形式で効率よく回収できるように工夫した広告用の配布パッケージを提供する。【解決手段】ティッシュペーパーに広告媒体の巻紙を付け、透明合成樹脂製パッケージに収めて構成し、広告媒体の巻紙が、表面に広告情報を記載する中間部と、応募による景品・賞金および／または優遇の機会を与えるサービス情報、もしくは、応募に係る巻紙の投函先の所在地を示す所在地情報を、それぞれ記載する上部もしくは下部と、背面に応募の際必要な情報を記入する応募情報記入欄と、を設けている。応募情報記入欄は、配布元が必要な情報を、アンケート形式で記入するアンケート記入欄と、応募者が希望する景品を選択して記入する景品番号記入欄と、を含む。巻紙は、その全部または一部の切り取りによって、葉書として投函できる定形の構造とする。【選択図】図１
2005134675.tif 000002
【特許請求の範囲】
【請求項１】
所要大きさで重ねたティッシュペーパーに広告媒体の巻紙を付け、透明合成樹脂製パッケージに収めた配布用の広告パッケージであって、
前記広告媒体の巻紙は、表面に広告情報を記載する中間部と、応募による景品・賞金および／または優遇の機会を与えるサービス情報、もしくは、応募に係る前記巻紙の投函先の所在地を示す所在地情報を、それぞれ記載する上部もしくは下部と、背面に応募の際必要な情報を記入する応募情報記入欄と、を設けていることを特徴とする配布パッケージ。
【請求項２】
前記応募情報記入欄は、配布元が必要な情報を、アンケート形式で記入するアンケート記入欄と、応募者が希望する景品を選択して記入する景品番号記入欄と、を含むことを特徴とする請求項１に記載の配布パッケージ。
【請求項３】
前記巻紙を上下部で折り返し装着した際に、裏面が左右反転で読めるように、前記サービス情報欄および前記所在地情報欄を逆さに記載したことを特徴とする請求項１または２に記載の配布パッケージ。
【請求項４】
前記巻紙は、その全部または一部の切り取りによって、葉書として投函できる定形の構造としたことを特徴とする請求項１ないし３に記載の配布パッケージ。
【発明の詳細な説明】
【技術分野】
【０００１】
本発明は、路上でのティッシュペーパー付き広告媒体、特に、所要サイズで重ねたティッシュペーパーに広告媒体の巻紙を付け、透明合成樹脂製パッケージに収めた広告用の配布パッケージおよび情報収集手段に関するものである。
【背景技術】
【０００２】
この種の広告用の配布パッケージでは、専ら、配布元の宣伝用記事を掲げた広告媒体としての巻紙が用いられている。しかし、裏面の利用がなされておらず、しかも、広告の効果が低い。一方、情報収集手段としてアンケートを配布する場合もあるが、受け取る人も少なく、記入して投函してくれる人も少なく回収率が悪い。これにより、新聞折込みや路上配布型、イベント配布型、投函型のチラシ、ティッシュ・パッケージ、その他の景品類に、インターネットのアドレスを添付して、コンピュータ、携帯電話機などからのアクセスを期待したアンケート収集システムが提唱されている。しかし、インターネット利用者以外に、手軽にアンケート情報を取得することができないので、対象者が限定され、十分な広告・宣伝効果および情報収集ができない事情がある。
【特許文献１】特開２００１−３３８２５６号公報
【発明の開示】
【発明が解決しようとする課題】
【０００３】
本発明は、上記事情に基づいてなされたもので、その目的とするところは、広告・宣伝効果を向上させ、配布元が必要とする情報収集をアンケート形式で効率よく回収し、応募者へのサービスが徹底できるように工夫した広告用の配布パッケージとすることにある。
【課題を解決するための手段】
【０００４】
請求項１に記載の本発明は、所要大きさで重ねたティッシュペーパーに広告媒体の巻紙を付け、透明合成樹脂製パッケージに収めた配布用の広告パッケージであって、前記広告媒体の巻紙が、表面に広告情報を記載する中間部と、応募による景品・賞金および／または優遇の機会を与えるサービス情報、もしくは、応募に係る前記巻紙の投函先の所在地を示す所在地情報を、それぞれ記載する上部もしくは下部と、背面に応募の際必要な情報を記入する応募情報記入欄と、を設けていることを特徴とする。
【０００５】
そして、請求項２に記載したように、前記応募情報記入欄は、配布元が必要な情報を、アンケート形式で記入するアンケート記入欄と、応募者が希望する景品を選択して記入する景品番号記入欄と、を含むことが有効である。請求項３に記載の本発明は、前記巻紙を上下部で折り返し装着した際に、裏面が左右反転で読めるように、前記サービス情報欄および前記所在地情報欄を逆さに記載したことを特徴とする。請求項４に記載の本発明は、前記巻紙が、その全部または一部の切り取りによって、葉書として投函できる定形の構造としたことを特徴とする。
【発明の効果】
【０００６】
本発明の配布パッケージは、広告媒体の巻紙が、表面に広告情報と、応募による景品・賞金および／または優遇の機会を与えるサービス情報と、応募に係る所在地情報と、背面に応募の際必要な情報を記入する応募情報記入欄と、が設けられているので、これを受け取った者は、この巻紙を見ることにより、投函という手段で応募の機会を得ることができる。
巻紙には、景品番号記入欄が設けられているので、応募者はこれに記入することで、景品が受け取れるかもしれないという期待から、積極的に応募するようになり、結果的にアンケートの回収率が良くなる。また、応募者が記入したアンケート記入欄から、配布元は、市場のニーズや動向を知ることができるので、応募者との以後のつながりを得て、サービスを具体的に実現できる。
裏面に記載のサービス情報欄および所在地情報欄は逆さに記載したことにより、巻紙を上下部で折り返し装着した際に、裏面に記載の事項が、配布パッケージを左右反転することで自然に読めるものとなる。
巻紙を葉書として投函できる定形の構造としたことにより、応募者は、応募情報記入欄に記載したものを、そのまま容易に投函するだけでよくなる。
【発明を実施するための最良の形態】
【０００７】
本発明の配布パッケージは、所要大きさで重ねたティッシュペーパーに広告媒体の巻紙を付け、透明合成樹脂製パッケージに収めたものであり、広告媒体の巻紙の表面に、広告情報欄と、応募による景品・賞金および／または優遇の機会を与えるサービス情報欄と、応募に係る前記巻紙の投函先の所在地を示す所在地情報欄とを設け、且つ、背面に、応募の際必要な情報を記入する応募情報記入欄と、を設けている。応募情報記入欄は、配布元が必要な情報を、アンケート形式で記入するアンケート記入欄と、応募者が希望する景品を選択して記入する景品番号記入欄と、が含まれ、葉書として投函することもできる。
【実施例１】
【０００８】
以下、本発明の実施の形態を図示しながら、具体的に説明する。尚、図１は、本発明の配布パッケージ１０を示した表面であり、図２は、裏面である。これら図１および図２に示すように、本発明の配布パッケージ１０は、広告媒体の巻紙２を２箇所で折り返し、所要大きさで重ねたティッシュペーパー１を抱え込んだ状態で、透明合成樹脂製パッケージ３に収めたものである。これにより、巻紙２の中間部に記載された広告情報が、配布パッケージ１０の表面から視認され、配布パッケージ１０の裏面においては、巻紙２の上下部が視認されるように構成したものである。
【０００９】
図３の（ａ）は、巻紙２の表面２ａを示したものである。即ち、巻紙２の表面２ａにおいては、中間部において、主要な広告情報２２を記載（印刷）し、その上部において、応募による景品・賞金および／または優遇の機会を与えるサービス情報２１を記載（印刷）し、下部において、応募の際、巻紙２を投函するための、投函先所在地を示す所在地情報２３を記載（印刷）している。これらサービス情報２１および所在地情報２３は、中間部の広告情報２２に対し、その記載の仕方が逆さまなものとしている。これにより、手に取った人が、左右反転させた状態で、配布パッケージ１０の裏面を読めるようにしたものである。
【００１０】
図３の（ｂ）は、巻紙２の背面２ｂを示したものである。巻紙２の背面２ｂは、応募情報記入欄３０となっており、景品番号記入欄３１とアンケート記入欄３２とを備えている。景品番号記入欄３１には、店頭等に掲示の景品パネルから所望の景品を選択し、番号で記入する希望景品番号記入欄が設けられており、投函の方法（例えば、「ご記入後、店頭の応募箱へご投函ください。」）が記載されている。そして、応募に必要な応募者の情報（少なくとも、応募者の氏名、住所、連絡先電話番号、Ｅメールアドレス等の記載欄）が用意されている。
【００１１】
アンケート記入欄３２には、配布元が必要とする収集情報（例えば、配布元が旅行代理店である場合、１．ご旅行の予定がありますか、２．今後旅行したい先はどこですか、３．旅行を計画する時、価格・方面は？、４．予算は？、５．ご旅行のご案内をメールしてもよいですか？等）が含まれている。
【００１２】
上述したように構成した広告用の配布パッケージ１０を配布することで、ティッシュペーパーを受け取った際、あるいはティッシュペーパーを使用するため、パッケージを開封することにより、巻紙２の表面２ａに記載された情報から応募の機会を得ることができる。そして、巻紙２の表面２ｂのアンケートに回答するなどの、応募に必要な情報を記入して投函すれば、抽選によって、景品・賞金および／または優遇の機会を与えられるメリットがあることで、ティッシュペーパーの配布元へ関心度が向上し、また、アンケートに記載された情報を基にして、以後のサービスや商品企画に反映させることもできる。
【実施例２】
【００１３】
図４は、応募に係る投函先の所在地情報が、葉書における宛先となるように記載した広告媒体の巻紙２を示したものであり、（ａ）は巻紙２の表面２ａ、（ｂ）はその背面２ｂを示したものである。このように構成された巻紙２は、葉書サイズに形成された中間部２４を備えるために、巻紙２の上部及び下部から切り離せる切り取り線２５を有している。これにより、葉書サイズに形成された中間部２４は、投函可能に宛先や郵便番号が記載された定形の構造を備えたものとなる。そして、葉書サイズに形成された中間部２４の背面には、応募情報記入欄３０を有しているので、応募者は、アンケートに答えると共に、葉書サイズに形成された中間部２４を切り取って投函するだけで応募できる。応募者は、アンケートに応募しようという気になったとしても、投函先の住所を書く手間があったり、切手を貼るようになっていた場合には、結果的に、これを避けようとするが、投函先の住所を書く手間や、切手を貼る手間が省けるように構成されていた場合には、応募がし易くなるので、アンケートの回収率は高くなる。
尚、葉書サイズに形成される部分は、中間部２４に限定されることなく、例えば、巻紙２の上部もしくは下部、あるいは、巻紙２の全てが、郵送できるように定形の構造とすることもできる。
【産業上の利用可能性】
【００１４】
本発明の配布パッケージ１０は、その巻紙を、二つ折りなどして、透明樹脂パッケージに設けたポケットに入れる形で、添付することも可能である。
【図面の簡単な説明】
【００１５】
【図１】広告用の配布パッケージの表面を示す斜視図である。
【図２】広告用の配布パッケージの裏面を示す斜視図である。
【図３】広告媒体の巻紙を示す（ａ）は表面の説明図、（ｂ）は背面の説明図である。
【図４】広告媒体の巻紙を示す（ａ）は表面の説明図、（ｂ）は背面の説明図である。
【符号の説明】
【００１６】
１    ティッシュペーパー
２    広告媒体の巻紙
２ａ  巻紙の表面
２ｂ  巻紙の背面
３    透明合成樹脂製パッケージ
１０  配布パッケージ
２１  サービス情報が記載された巻紙の上部
２２  広告情報が記載された巻紙の中間部
２３  所在地情報が記載された巻紙の下部
２４  葉書サイズに形成された中間部
２５  切取り線
３０  応募情報記入欄
３１  景品番号記入欄
３２  アンケート記入欄
【図１】
2005134675.tif 000003
【図２】
2005134675.tif 000004
【図３】
2005134675.tif 000005
【図４】
2005134675.tif 000006